(57)【要約】【課題】携帯情報端末に対し、通常のキーボードからの入力を簡単に行なえるようにし、キー入力における操作性を向上すること。【解決手段】携帯情報端末６に入力装置５を接続し、パソコン本体１とケーブル４を介して接続されたキーボード２からキー入力があったとき、ケーブル４より漏れ出る電磁波を検出する。検出された電磁波よりキーボード２上でどのキーが押下されたかを読み取る。そのキー情報を携帯情報端末６に対して出力することで、あたかもキーボード２を携帯情報端末６の入力手段とすることができる。【選択図】図１
2005148818.tif 000002
【特許請求の範囲】
【請求項１】
パーソナルコンピュータ本体にケーブルを介して接続されたキーボードのキーが押下された時に、前記ケーブルから漏洩する信号を検出するセンサー部と、
前記キーボードにおいてどのキーが押下されたかを、前記センサー部の検出信号を解析し、キー信号に変換するキー信号変換部と、を具備することを特徴とする入力装置。
【請求項２】
パーソナルコンピュータ本体にケーブルを介して接続されたキーボードのキーが押下された時に、前記ケーブルから漏洩する信号を検出するセンサー部と、
前記キーボードにおいてどのキーが押下されたかを、前記センサー部の検出信号を解析し、キー信号に変換するキー信号変換部と、
外部の情報機器に接続し、前記キー信号変換部の出力信号を前記情報機器に与える出力プラグと、を具備することを特徴とする入力装置。
【請求項３】
請求項１又は２記載の入力装置が携帯情報端末に接続されたとき、前記携帯情報端末の表示部に示された表示文字列をパスワードとして、ユーザが任意のキーボードより前記表示文字列と同一の文字列を入力文字列として入力した後に、前記表示文字列と前記入力文字列とが一致するか否かを判別し、一致の場合はそれ以降に入力される入力文字列を前記携帯情報端末本体へのキー入力として出力するキー信号インターフェイス部を具備することを特徴とする携帯情報端末。
【請求項４】
前記表示文字列は、表示毎に異なることを特徴とする請求項３記載の携帯情報端末。
【請求項５】
前記キー信号インターフェイス部は、
前記キーボードから特定のキーが入力されたとき、前記特定キー信号に対して別のキー信号を割り当てることを特徴とする請求項３記載の携帯情報端末。
【請求項６】
前記特定のキーとは、エンターキー、確定キー、リターンキーのいずれかであることを特徴とする請求項５記載の携帯情報端末。
【請求項７】
請求項１又は２記載の入力装置及び外部キーボードの通信プロトコルが、携帯情報端末本体に対して同じであることを特徴とする携帯情報端末。
【請求項８】
請求項２の入力装置の出力プラグ、及び外部キーボードの出力プラグが物理接続及び論理接続において同一規格であり、前記同一規格の出力プラグに対するレセクタプルを有していることを特徴とする請求項７記載の携帯情報端末。
【発明の詳細な説明】
【技術分野】
【０００１】
本発明はＰＤＡ（Portable Digital Assist）等で代表される携帯情報端末に対する入力装置、及びこの入力装置を用いた携帯情報端末に関するものである。
【背景技術】
【０００２】
携帯情報端末はその名のとおり携帯するものであるため、小型であることが求められており、小型が故にキー入力が最も煩わしいものの一つとなっている。このため、外部機器としてキーボードを備え、キー入力時にはその外部キーボードを用いてキー入力を行うようにしているものがあった（例えば特許文献１参照）。特許文献１では、パーソナルコンピュータ（以下、パソコンという）の本体部に接続されているキーボードを用いている。そしてこのキーボードを携帯情報端末に対してアクティブにするには、先ずパソコン本体において送信用のソフトウェアを起動し、キーボードに装備されている赤外線ランプを用いて、現在どのキーが押下されているかを携帯情報端末に向けて送信する。携帯情報端末側には送信されてくる赤外線信号を受信するための受光部が装備されており、専用のソフトウェアを起動しておけば、その赤外線信号よりキーボードで押下されているキー情報を読み取り、携帯情報端末に対する入力とすることができる。
【特許文献１】特開平８−１６５２１号公報、第４〜６頁
【発明の開示】
【発明が解決しようとする課題】
【０００３】
しかしながら上記のような構成では、パソコンに必ず送信用のソフトウェアがインストールされ、しかも起動されていなければならない。また、キーボードに赤外線信号を出力するユニットも必要である。このため、使用できるパソコンが限定され、しかも、そのパソコンがもし何らかの都合で前述の送信用のソフトウェアが起動できなければ、使用することはできない。更に、送信用のソフトウェアが起動されている場合には、そのパソコンにおいて本来のソフトウェアを用いて所望の処理ができなくなる可能性もある。
【０００４】
本発明は上記の問題点に鑑み、使用するパソコンを限定することなく、しかもそのパソコンの動作に殆ど悪い影響を与えることなく、パソコンのキーボードを用いて携帯情報端末へのキー入力ができる入力装置と、この入力装置を接続できる携帯情報端末とを提供するものである。
【課題を解決するための手段】
【０００５】
本願の請求項１の発明は、パーソナルコンピュータ本体にケーブルを介して接続されたキーボードのキーが押下された時に、前記ケーブルから漏洩する信号を検出するセンサー部と、前記キーボードにおいてどのキーが押下されたかを、前記センサー部の検出信号を解析し、キー信号に変換するキー信号変換部と、を具備することを特徴とする。
【０００６】
本願の請求項２の発明は、パーソナルコンピュータ本体にケーブルを介して接続されたキーボードのキーが押下された時に、前記ケーブルから漏洩する信号を検出するセンサー部と、前記キーボードにおいてどのキーが押下されたかを、前記センサー部の検出信号を解析し、キー信号に変換するキー信号変換部と、外部の情報機器に接続し、前記キー信号変換部の出力信号を前記情報機器に与える出力プラグと、を具備することを特徴とする。
【０００７】
これにより、パソコンにおいて専用のソフトウェアがインストールされていなくとも、また、パソコンの状態がどうであっても携帯情報端末に対してキー入力を行うことができる。
【０００８】
本願の請求項３の発明は、請求項１又は２記載の入力装置が携帯情報端末に接続されたとき、前記携帯情報端末の表示部に示された表示文字列をパスワードとして、ユーザが任意のキーボードより前記表示文字列と同一の文字列を入力文字列として入力した後に、前記表示文字列と前記入力文字列とが一致するか否かを判別し、一致の場合はそれ以降に入力される入力文字列を前記携帯情報端末本体へのキー入力として出力するキー信号インターフェイス部を具備することを特徴とする。
【０００９】
これにより、パソコンに接続されたキーボードによる入力の開始時点を明確化するとともに、パソコンの使用者がパスワードを入力しなければ携帯情報端末へのキー入力ができないように設定できる。このため、密かに入力装置をパソコンのケーブルに装着した場合、そのキーボード入力を正規の使用者に知られることなく情報が読み取られることを防ぐことができる。
【００１０】
本願の請求項４の発明は、請求項３の携帯情報端末において、前記表示文字列は、表示毎に異なることを特徴とする。
【００１１】
これにより、都度異なるキーを押下する必要があるため、セキュリティを高められる。
【００１２】
本願の請求項５の発明は、請求項３の携帯情報端末において、前記キー信号インターフェイス部は、前記キーボードから特定のキーが入力されたとき、前記特定キー信号に対して別のキー信号を割り当てることを特徴とする。
【００１３】
これにより、例えばＨｏｍｅキーに対してエンターキーを割り当てることにより、キーボードが接続されているパソコン本体に対して不都合なキーを押下せずに済む。
【００１４】
本願の請求項６の発明は、請求項５の携帯情報端末において、前記特定のキーとは、エンターキー、確定キー、リターンキーのいずれかであることを特徴とする。
【００１５】
本願の請求項７の発明は、請求項１又は２記載の入力装置及び外部キーボードの通信プロトコルが、携帯情報端末本体に対して同じであることを特徴とする。
【００１６】
本願の請求項８の発明は、請求項７の携帯情報端末において、請求項２の入力装置の出力プラグ、及び外部キーボードの出力プラグが物理接続及び論理接続において同一規格であり、前記同一規格の出力プラグに対するレセクタプルを有していることを特徴とする。
【００１７】
請求項７、８に記載の発明によれば、通常はパソコンに接続されているキーボードを使えば良いが、もし未使用のキーボードがあれば、そのキーボードを接続することが可能となる。
【発明の効果】
【００１８】
本発明の入力装置によれば、稼働状態にあるキーボードの接続ケーブルからの漏れ信号を検知し、どのキーが押下されたかを検出するようにしているので、パソコンに専用のソフトウェアがインストールされていなくとも、また他で使用中のキーボードからであっても、携帯情報端末に対しても通常サイズの外部キーボードを用いて情報を入力することができる。
【発明を実施するための最良の形態】
【００１９】
以下、本発明の実施の形態における入力装置について、図面を用いて説明する。図１は本実施の形態による入力装置５と携帯情報端末６とパソコンとの接続関係を示す外観図である。パソコンは、パソコン本体１、キーボード２、表示装置３を含んで構成される。キーボード２はパソコン本体１にケーブル４を介して接続される。パソコン本体１とキーボード２との接続手段として例えばMini−DIN6Pinのコネクタ（プラグ）が用いられる。このコネクタはＰＣ−ＡＴ互換機に一般的に用いられている。入力装置５はケーブル４の任意の部分に装着することにより、ケーブル４の電流を検出し、携帯情報端末６にキー入力を与えるものである。入力装置５の出力プラグ、及び外部キーボードの出力プラグは、物理接続及び論理接続において同一規格である。携帯情報端末６はこのような規格のレセクタプルを有している。
【００２０】
図２は入力装置５の内部構成図と、本発明に関わる部分の携帯情報端末６の内部構成図である。この入力装置５はセンサー部５１、キー信号変換部５２を有し、センサー部５１とキー信号変換部５２とは、図１に示すようなハウジング５ａに内設されている。キー信号変換部５２はケーブル５ｂを介して入力装置５のコネクタである出力プラグ５ｃに接続されている。センサー部５１、キー信号変換部５２、ハウジング５ａ、ケーブル５ｂ、出力プラグ５ｃまでの部分を入力装置５と呼ぶ。
【００２１】
図１及び図２に示す携帯情報端末６は、ＰＤＡ等で代表される携帯情報端末であり、キーボード２の出力プラグ、又は入力装置５の出力プラグ５ｃに接続できるレセクタプル６１を有している。また本実施の形態の携帯情報端末６には、情報端末としての一般的な機能ブロックと表示部６２とに加えて、キー信号インターフェイス部（キー信号Ｉ／Ｆ部）６３が設けられている。
【００２２】
キー信号Ｉ／Ｆ部６３は、一般のキーボードから図３に示すようなキー信号が与えられたとき、どのキーが押圧（ｍａｋｅ）されたか、又は復帰（ｂｒｅａｋ）されたのかを判別するものである。また本実施の形態のキー信号Ｉ／Ｆ部６３は、入力装置５が携帯情報端末６に接続されたとき、表示部６２に示された表示文字列をパスワードとして、ユーザが任意のキーボードより表示文字列と同一の文字列を入力文字列として入力した後に、表示文字列と入力文字列とが一致するか否かを判別し、一致の場合はそれ以降に入力される入力文字列を携帯情報端末本体へのキー入力として受け付ける。
【００２３】
センサー部５１は、パソコン本体１とケーブ４を介して接続されたキーボード２において、いずれかのキーが押下された時にケーブル４から漏洩する信号を検出するものである。検出原理については後述する。キー信号変換部５２は、キーボード２においてどのキーが押下されたかを、センサー部５１の検出信号を解析し、キー信号に変換するものである。ケーブル５ｂはハウジング５ａ内のキー信号変換部５２と出力プラグ５ｃとを接続するケーブルである。出力プラグ５ｃはレセクタプル６１と適合するプラグであり、例えばMini−DIN6Pinの規格に準拠しているものとする。また、出力プラグ５ｃとしては、Mini-DIN6Pinのコネクタを用いる以外に、最近市販されているＵＳＢ（Universal Serial Bus）キーボードと同じプロトコル及び接続を用いてもよい。
【００２４】
入力装置５の各構成要素とその動作について具体的に説明する。ケーブル４に電気信号が流れると、周辺の電界や磁界が変化するので、この変化をセンサー部５１が検出する。キー信号変換部５２は検出した電界磁界の値又はその変化より、どのキーが押下されているか、或いは元の状態に復帰したかといったキーの状態を解析し、解析結果をキー信号に変換して出力する。
【００２５】
この携帯情報端末６には、外部キーボードの出力プラグと同じ規格のレセクタプル６１が取り付けられているので、このレセクタプル６１に外部キーボードの出力プラグを接続すれば、外部キーボードからの入力も直接受け付けることができる。パソコンのキーボードインターフェースでは、キーボード２においてキーが押下されたり、復帰したりすると、その毎に各キーの位置に対応した信号が発生する。一方、言語別に各種のキーボードがあるが、文字やフォントは言語によって異なっていても、同一位置のキーからは同一のキー信号が出力される。
【００２６】
ここで先ず、一般的なパソコンであるＰＣ−ＡＴ機におけるパソコン本体１とキーボード２の信号について簡単に述べておく。キーボード２のキーが押下及び復帰した場合、どのキーが押下されたか、どのキーが離されたかを示すキースキャンコードを、ケーブル４を介してパソコン本体１にシリアル信号として送信している。この通信には図３に示すように、クロックとデータを分離した２種類の信号、即ち（Ａ）に示すデータ信号、及び（Ｂ）に示すクロック信号が用いられている。データ信号線、クロック信号線ともに１０ｋΩの抵抗を介して＋５Ｖにプルアップされており、パソコン本体側、キーボード側両側からオープンコレクタドライバで駆動される。通信が行われていない場合は、両信号線とも“Ｈｉｇｈ”レベルとなっている。
【００２７】
キーが押された場合、キーボード２はキースキャンコードとしてＭａｋｅコードをパソコン本体１に送る。キーが離された場合、同様にＢｒｅａｋコードをパソコン本体１に送る。キーを押された時と離した時で異なった情報を送ることで、どのキーが押されているのかをパソコン本体１が判別できるようになっている。押した際はＭａｋｅコードが発行され、離された時点でＢｒｅａｋコードが発行される。キーが押し続けられた場合は、Ｍａｋｅコードのみが連続して発行されるようになっている。図３に示す波形は、キーボード２において例えば「Ｅｎｔｅｒ」キーが押下された時のものである。データ信号線、クロック信号ともその振幅は５Ｖである。
【００２８】
ここで、センサー部５１の1つとして図４に示すように電磁センサーを用いることができる。これは銅線をループ状に巻いたコイル１４を用いて磁束の変化を捕らえ、それを増幅して波形整形するものである。ここではコイル１４をケーブル４に巻き付けるようにセットしているが、ケーブル４の下に敷くようにセットしても良い。要はケーブル４から発せられる電磁波を受信できれば良い。
【００２９】
また別の検出原理を有するセンサー部５１を用いることもできる。これは開閉可能なリング状の磁性体を成形し、この磁性体の開口部にケーブル４を通す。そして、磁性体の磁路にホール素子を設け、このホール素子からの検出電圧によりケーブル４の電流信号を間接的に検出するものである。この検出方法は、前述のコイル１４による検出方法と異なり、直流から高周波までの信号を検出でき、検出感度も高い特徴がある。本実施の形態ではセンサーヘッドとしてホール素子を用いた場合について入力装置５の動作を述べる。
【００３０】
ここでキー信号変換部５２の構成と動作原理を図５及び図６を用いて説明する。図５はキー信号変換部５２の構成例を示すブロック図である。また図６はキー信号変換部５２の各部の信号を示す波形図である。今、ケーブル４を流れているデータ信号、クロック信号が図６（Ａ）、（Ｂ）のとおりであるとする。この場合センサー部５１は、信号電流即ちデータ信号とクロック信号とを加算した信号によって磁界が生じる。センサー部５１は磁界の磁束密度に比例した電圧（０又は１レベル）を出力する。この結果、図６（Ｃ）に示すとおり、０、１、２の３レベルを有する出力が得られる。図５の比較器２２はセンサー部５１から出力される信号の波高値を検出してその値を弁別する。ここではピーク値の１／４のレベル、即ち０．５を閾値としてセンサー部５１の出力と閾値との比較を行う。閾値以上であれば１を出力し、閾値未満であれば０を出力する。比較器２２には図６（Ｃ）に示す信号が入力されているので、図６（Ｅ）に示す信号が出力される。
【００３１】
一方、エッジ検出手段２３はセンサー部５１の出力信号のダウンエッジを検出し、この信号をモノマルチバイブレータ（モノマルチ）２４に対するトリガ信号として与える。モノマルチバイブレータ２４は、トリガ信号が与えられると、図６(Ｄ)に示すような所定幅のパルス信号を発生させる。ここでは、通常１を出力し、トリガ信号が入力されると０の信号を所定時間幅だけ出力する。このパルス幅は後述するカウンタ２６がＱ端子より出力するクロック信号１周期分に相当する。
【００３２】
一般に市販されているキーボードにおいては、規格により１つのキー信号に対する送信ビット数は１１ビットであり、且つ、最初のビットは０、最後のビットは１とすることが定められているので、確実にｔ＝０のタイミングを捉えることができる。カウンタ２６のＱ端子は、Ｒ端子に１が与えられている時は０を出力し、Ｒ端子が０になるとクロック発生器２５よりＣＫ端子に与えられているクロック信号を分周してパルスを出力する。クロック発生器２５の発振周波数とカウンタ２６の分周比は、Ｑ端子より出力すべきクロック信号の周期が規格値になるよう予め定められているものとする。
【００３３】
カウンタ２６のＲ端子には図６（Ｄ）に示す信号が与えられるので、そのＱ端子からは図６（Ｆ）に示すようなクロック信号を得ることができる。Ｄフリップフロップ２７がこの信号をクロック信号とし、そのアップエッジに同期して比較器２２出力を取り込むと、図６（Ｇ）に示す出力が得られる。図６（Ｇ）の信号をデータ信号５２ａとし、図６（Ｆ）の信号をクロック信号５２ｂとして、図２に示す出力プラグ５ｃを介して携帯情報端末６に出力する。２本の信号線からキー信号が供給されるとき、パソコンのキーボードインターフェースでは、クロック信号の立下りでデータ信号をフェッチするようになっている。このため、図６の（Ｆ）、（Ｇ）で示される信号でも、キー信号Ｉ／Ｆ部６３は、図３の場合と同様にキー信号を認識することができる。
【００３４】
図２のキー信号Ｉ／Ｆ部６３は、キーボード２がパソコン本体１と通信する際と同じプロトコルを用いてキーボード２と通信する。このようにすると、入力装置５に代えてキーボード２を直接携帯情報端末６に接続することができる。そしてキー入力をしたり、コマンドを携帯情報端末６に与えることできる。つまり、パソコンが稼働状態の場合は、入力装置５を装着することで、携帯情報端末６に対してキー入力が可能となる。また、パソコンが稼働状態でない場合、即ち電源がオフになっている場合はキーボード２又は外部キーボードをそのまま携帯情報端末６に接続することで、携帯情報端末６へのキー入力が可能となる。
【００３５】
次に、携帯情報端末６側の処理について、図７のフローチャートを用いて説明する。ステップＳ０において入力装置５が携帯情報端末６に接続されると、ステップＳ１に進み、携帯情報端末６にインスールされた専用のソフトウェアが起動される。そしてステップＳ２に移り、携帯情報端末６のキー信号Ｉ／Ｆ部６３は先ず現在接続されているキーボードが何であるかを判別する。ここでは、入力装置５ではなく、キーボード２を含む通常のキーボードが携帯情報端末６に接続されている場合、携帯情報端末６の方からキー信号Ｉ／Ｆ部６３を介してキーボードに向け、無意味な信号をコマンドとして発行する。もし接続されているものが入力装置５であれば、携帯情報端末６内のキー信号Ｉ／Ｆ部６３が入力装置５からの応答信号を受信した後所定の信号を返す。コマンド発行後に応答がなければ携帯情報端末６のキー信号Ｉ／Ｆ部６３は通常のキーボードが接続されているものと判断する。もし、キーボード２のような通常のキーボードが携帯情報端末６に接続されていることが判別されれば、ステップＳ２からステップＳ６に移行し、キー入力の受付を開始する。
【００３６】
一方、ステップＳ２において、携帯情報端末６に接続されているものが入力装置５であると判別すれば、ステップＳ３に移行し、携帯情報端末６はその表示部６２にパスワードを表示する。ここでは、このパスワードは都度異なるランダムな表示文字列である。この状態（ステップＳ４）で携帯情報端末６はキーボード入力を待ち受ける。
【００３７】
キーボード２において携帯情報端末６の表示文字列に対応するキーが押下されると、その様子をセンサー部５１が検出し、キー信号Ｉ／Ｆ部６３は押下されたキーが何であるかを判別する。ステップＳ５において入力文字列と表示文字列との一致か不一致かを調べ、もし一致すると、ステップＳ６に移り、あたかも通常のキーボードが接続されたかの如くキー入力受付を開始する。
【００３８】
ステップＳ５において一致しない場合は、携帯情報端末６内のソフトウェアが動作を終了し、キーボード２からのキーの受付は行われない。これは、他人のパソコンに接続されているキーボードのケーブルに対して、入力装置５を密かに装着した場合の対策である。即ち本来のパソコンの使用者に知られることなく、第３者がキー入力を読み取ることができないように設定するためである。また、このように他人のパソコンに密かに接続して情報を入出力することを防止するために、一旦パスワードが一致した後に、入力装置５がケーブル４から外された場合には、このソフトウェアも強制的に終了するようにした方が良い。
【００３９】
通常のパソコンでは、稼働時にキーボード２をパソコン本体１から強制的に抜き取ると、ハング状態になってしまう。このため、パソコンに接続されているキーボード２を携帯情報端末６の方に接続するには、一旦パソコンの当該ソフトウェアを終了させて電源をオフにする必要がある。また、携帯情報端末６での処理が済んだ後は、元のパソコン本体１にそのキーボード２を接続した後で電源を投入する必要があるが、本発明の入力装置を用いれば、既に他のパソコンに接続されて稼働している状態のキーボード２を用いて、携帯情報端末６へのキー入力することが可能となる。この場合、キーボード２はそれが接続されているパソコン本体１に対しても有効なので、例えばパソコンにおいてダミーのソフト、例えば、簡単なエディタ等を起動しておけば、何らそのパソコンに対して悪影響を与えることなく、携帯情報端末６に対するキー入力を行うことができる。
【００４０】
次に、キー入力の受付が開始された後、ここでは予め定めてある特定のキーに別のキーを割り当てることもできる。これはソフトウェアの初期設定で行う。例えば普段あまり使うことがない「Ｌｏｃｋ」キーに、「Ｅｎｔｅｒ」キーを割り当てておく。キーボード２は携帯情報端末６に対する入力手段であるが、同時に、パソコン本体１に対しても有効な入力手段として動作する。故に、もしキーボード２において「Ｅｎｔｅｒ」キーを押下すると、場合によってはパソコン本体１において起動したくないソフトウェアが起動されることもあり得る。このような意味で、上記のように別のキーを割り当てることで、目的外のソフトウェアが起動されるのを防ぐことができる。なお、特定のキーとは、エンターキー、確定キー、リターンキーのいずれかである。
【００４１】
なお、上記の実施の形態では、所謂デスクトップ型のパソコンに用いられているキーボードからキー入力を取り込むようにしている。しかし、例えばノートパソコンであっても、キーボードが同じ筐体内部で本体部に接続されているだけであるので、ノートパソコンの下に、薄型にしたセンサー部を敷くようにすれば、ノートパソコンからのキー入力を取り込むことも可能となる。
【００４２】
また、上記の実施の形態では、携帯情報端末６として所謂ＰＤＡを取り上げたが、例えば携帯電話等の携帯機器に対しても、同様の技術を取り入れることができる。このように携帯情報端末６が小型であればあるほど、キーボードのような入力手段の優位性は高くなる。特に携帯情報端末６を事務所や自宅のように固定された場所で使用する場合、入力手段として本発明の入力装置を用いた方が使い勝手がよい。
【産業上の利用可能性】
【００４３】
本発明の入力装置は、パソコンと携帯情報端末とに取り付けることによって、操作が確実なキーボードなどの入力手段を用いて情報を入力することができる。
【図面の簡単な説明】
【００４４】
【図１】本発明の実施の形態による入力装置と携帯情報端末とパソコンとの接続関係を示す概観図である。
【図２】本実施の形態における入力装置の構成と、携帯情報端末の構成を示すブロック図である。
【図３】パソコンのケーブルに流れるキー信号の一例を示す波形図である。
【図４】本実施の形態の入力装置に用いられるセンサー部の一例を示す概念図である。
【図５】本実施の形態の入力装置に用いられるキー信号変換部の構成図である。
【図６】本実施の形態の入力装置に用いられるキー信号変換部の動作を示す波形図である。
【図７】携帯情報端末において入力装置を接続した場合に実施される認証のアルゴリズムを示すフローチャートである。
【符号の説明】
【００４５】
１  パソコン本体
２  キーボード
３  表示装置
４，５ｂ  ケーブル
５  入力装置
５ａ  ハウジング
５ｃ  出力プラグ
６  携帯情報端末
１４  コイル
２２  比較器
２３  エッジ検出手段
２４  モノマルチバイブレータ
２５  クロック発生器
２６  カウンタ
２７  Ｄフリップフロップ
５１  センサー部
５２  キー信号変換部
６１  レセクタプル
６２  表示部
６３  キー信号インターフェイス部（キー信号Ｉ／Ｆ部）
【図１】
2005148818.tif 000003
【図２】
2005148818.tif 000004
【図３】
2005148818.tif 000005
【図４】
2005148818.tif 000006
【図５】
2005148818.tif 000007
【図６】
2005148818.tif 000008
【図７】
2005148818.tif 000009